(57)【要約】【課題】本発明の課題は、ねじ止めすることもなく仮囲いに裾巾木を簡単に設置する構造と、仮囲いに裾巾木を常に一体構造に収容する構造を提供することである。【解決手段】本発明の仮囲いの裾巾木付設構造では、隣り合うパネル同士の端をはめ込み連結するための仮囲いのパネルの両端に備わった連結具とパネル表面板の間の溝に裾巾木をはめ込み、連結具とパネル表面板で裾巾木が挟まれて外れない構造となり、又、裾巾木は上下に動くこと及び常時の組み込み収容も可能である。【選択図】図１
2013119764.tif 000002
【特許請求の範囲】
【請求項１】
仮囲いのパネルと前記パネルとその設置面との間の隙間を覆うための巾木である裾巾木とを有し、前記パネルの両端に備わり且つ隣り合う仮囲いのパネル同士の端をはめ込み連結するための連結具と前記パネルの表面板の間の溝に、前記裾巾木が嵌め込まれ、スライド可能としたことを特徴とする仮囲いの裾巾木付設構造。
【請求項２】
前記裾巾木と前記パネルの間に前記裾巾木を押さえるための裾巾木止め具を有することを特徴とする請求項１記載の仮囲いの裾巾木付設構造。
【請求項３】
前記パネルの溝に前記裾巾木がはめ込まれて、使用時以外は前記パネルの中に収容されていることを特徴とする請求項１又は請求項２に記載の仮囲いの裾巾木付設構造。
【請求項４】
前記裾巾木は、堅い材質で作られた上方裾巾木とこれにぶら下がった地面に接触して押し付けられると押し圧によって容易に曲がる下方裾巾木を有していることを特徴とする請求項１から請求項３のいずれか１つに記載の仮囲いの裾巾木付設構造。
【請求項５】
前記裾巾木は、前記パネルを設置後に前記溝へのはめ込み取り付けが容易なように曲がり戻ることが可能な材料の板で構成されていることを特徴とする請求項１から請求項４のいずれか１つに記載の仮囲いの裾巾木付設構造。
【発明の詳細な説明】
【技術分野】
【０００１】
本発明は、建築工事現場における、仮囲いと地面との間の空間をカバーする裾巾木の取り付け構造に関するものである。
【背景技術】
【０００２】
従来、工事現場では、仮囲いと呼ばれるパネルで囲いが施され、現場内と周囲とを隔てている。
仮囲いのパネルは、単管や足場構造材の枠組み構造に固定されるが、場合によっては、仮囲いと地面又は床面の間に空間ができて、そのままでは、隔絶した状態が崩れ、又、見栄えが悪い状態となる。このようなことに対応して、図４に示す対応がなされてきた。
４−Ａにおいては、枠組み構造４０１に取り付けられた仮囲い板４０２に対して、地面との間の空間を板４０３で覆っている。この例は、傾斜がない地面に設置した場合であるが、４−Ｂでは、傾斜のある地面に設置した場合となっている。これに対して、特許文献１には、４−Ｃ，４−Ｄに示す提案がなされている。４−Ｃには、仮囲いパネル４０２個々の下方に仮囲いパネル４０２とほぼ同じ巾の板を双方の間でねじ止め構造で取り付けたもので、このようにすると、裾の開いた空間の長さに応じてねじ止め穴の長さ方向に調整により板の上下が可能なこと、および、４−Ｄの傾斜した地面での設置の場合には、ねじ止めの穴の周りに板の回転により板が傾斜に対応することが可能であるためである。この提案は、単なる板を挟む４−Ａ、４−Ｂより改善されたが、使用や保管を重ねる中でねじ止めが外れると、ねじを消失してしまい、取り付けを行う保守に余計な配慮を要する欠点がある。
【先行技術文献】
【特許文献】
【０００３】
【特許文献１】特開平１０−８７８１
【発明の概要】
【発明が解決しようとする課題】
【０００４】
本発明の課題は、ねじ止めすることもなく仮囲いに裾巾木を簡単に設置する構造を提供することである。更に、仮囲いに裾巾木を常に一体構造に収容する構造をも提供することである。
【課題を解決するための手段】
【０００５】
本発明の仮囲いの裾巾木付設構造では、隣り合うパネル同士の端をはめ込み連結するための仮囲いのパネルの両端に備わった連結具とパネル表面板の間に裾巾木をはめ込み、連結具とパネル表面板で裾巾木が挟まれて外れない構造となっていて、裾巾木は上下に動くことができ、又、常時組み込んでおくことも可能である構造となっている。
【０００６】
請求項１記載の発明は、仮囲いの裾巾木付設構造であって、仮囲いのパネルと前記パネルとその設置面との間の隙間を覆うための巾木である裾巾木とを有し、前記パネルの両端に備わり且つ隣り合う仮囲いのパネル同士の端をはめ込み連結するための連結具と前記パネルの表面板の間の溝に、前記裾巾木が嵌め込まれ、スライド可能としたことを特徴とする。
【０００７】
請求項２記載の発明は、請求項１記載の仮囲いの裾巾木付設構造において、前記裾巾木と前記パネルの間に前記裾巾木を押さえるための裾巾木止め具を有することを特徴とする。
【０００８】
請求項３記載の発明は、請求項１又は請求項２に記載の仮囲いの裾巾木付設構造において、前記パネルの溝に前記裾巾木がはめ込まれて、使用時以外は前記パネルの中に収容されていることを特徴とする。
【０００９】
請求項４請求項１から請求項３のいずれか１つに記載の仮囲いの裾巾木付設構造において、前記裾巾木は、堅い材質で作られた上方裾巾木とこれにぶら下がった地面に接触して押し付けられると押し圧によって容易に曲がる下方裾巾木を有していることを特徴とする。
【００１０】
請求項５記載の発明は、請求項１から請求項４のいずれか１つに記載の仮囲いの裾巾木付設構造において、前記裾巾木は、前記パネルを設置後に前記溝へのはめ込み取り付けが容易なように曲がり戻ることが可能な材料の板で構成されていることを特徴とする。
【発明の効果】
【００１１】
以上の様に構成されているので、本発明による仮囲いの裾巾木付設構造では、仮囲いと地面又は床面の間に空間を連結具とパネル表面板でつくる二つの溝に挟まれ、これに沿って長さ方向にスライドでき、空間の長さに自由に対応でき、ねじ等の固定手段も不要である。
又、常に裾巾木を仮囲いのパネルに一体収容して置くことも可能なため、保管や運搬が簡便となり、極めて利便性が高い。
【図面の簡単な説明】
【００１２】
【図１】本発明の仮囲いの裾巾木付設構造の一実施態様を示す図である。
【図２】本発明の仮囲いの裾巾木付設構造の別の一実施態様を示す図である。
【図３】本発明の仮囲いの裾巾木付設構造の一体収容する場合の一実施態様を示す図である。
【図４】従来の仮囲いでの裾空間の覆い構造を示す図である。
【発明を実施するための形態】
【００１３】
本発明の仮囲いの裾巾木付設構造では、隣り合うパネル同士の端をはめ込み連結するための仮囲いのパネルの両端に備わった連結具とパネル表面板の間に裾巾木をはめ込み、連結具とパネル表面板で裾巾木が挟まれて外れない構造となっていて、連結具とパネル表面板でつくる二つの溝に挟まれ、これに沿って長さ方向にスライドできる構造を有することを特徴とする。以下図に沿って説明する。
【００１４】
図１は、本発明の仮囲いの裾巾木付設構造の一実施態様を示す図である。仮囲いを裏面から覗いた図として描いている。
１−Ａにおいて、仮囲いパネル１００は、パネル表面板１０１の両横端に連結具１０２が備えられている。連結具１０２は、隣に配置される仮囲いパネル１００同士を連結するように、互いにはめ込みされる凹凸構造を有していて、両者の連結面は平面を形成しているものが多い。連結した平面を挟む断面コの字型の固定具１０４により連結が達成される。仮囲いパネル１００は、両横端で曲げて連結具１０２を構成するが、連結具１０２の端は、内側方向に向かって折り曲げられ、その端とパネル表面板１０１の間には距離Ｄ離れた空間１０３ができ、溝１０５を形成する。パネル表面板１０１の長さＬより少し短い幅と、距離Ｄより小さい厚さの裾巾木１１０をこの空間に挿入することができ、挿入すると、パネル表面板１０１と連結具１０２に挟まれて裾巾木１１０は、外れない構造となり、二つの溝に挟まれ、これに沿って長さ方向にスライドできるのみとなる。１−Ａでは、仮囲いパネル１００を設置してから裾巾木１１０を挿入付設する場合であり、裾巾木１１０が弾性的であって曲がる戻ることが可能な板状体を使用している。曲げた状態で挿入し、伸ばすと付設状態となる。矢印方向から見た断面を１−Ｂに示す。裾巾木１１０の曲げた状態と伸ばした状態の両方を示している。１−Ｃでは。仮囲いパネル１００を２個連結した状態を示す。実際の使用では多数の連結で使用することが多い。連結具１０２を固定具１０４で押さえ連結を行っている。固定具１０４は平板状でも可能だが、押さえに多くのねじ止めが必要であるので、コの字型にするとねじ止めが少なくてよい。
【００１５】
図２は、本発明の仮囲いの裾巾木付設構造の別の一実施態様を示す図であり、傾斜した地面上に設置する場合に使用して好都合なものである。２−Ａでは裾巾木のみ示されるが、堅い材質で作られた上方裾巾木１１０Ａとこれにぶら下がった地面に接触して押し付けられると押し圧によって容易に曲がる下方裾巾木１１０Ｂを有している。例えば、上方裾巾木１１０Ａは、硬質の塩ビ板、アクリル板、アルミ板などが使用できる。下方裾巾木１１０Ｂには、軟質塩ビ板、ポリエチレン樹脂板、ポリプロピレン樹脂板のほか繊維質の布も利用できる。２−Ｂにおいては、傾斜した地面に連結した仮囲いパネル１００を付設し、裾巾木１１０を付設しているが、上方裾巾木１１０Ａの一端が地面について位置が定まり、他の端は地面から浮いているが、下方裾巾木１１０Ｂが地面まで垂れ下がり、開き空間をカバーし、余分な下方裾巾木１１０Ｂは地面に着いたところで折れている。
【００１６】
図３は、本発明の仮囲いの裾巾木付設構造の一体収容する場合の一実施態様を示す図である。裾巾木１１０を仮囲いパネル１００に保管や運搬時には一体に収容していて、使用時に必要な長さだけ引き出して付設されるものに好都合なものである。保管や運搬時には裾巾木１１０は、止め具３００により押さえられ、動かないようになっている。３−Ｂは、止め具３００の近傍を拡大して示している。裾巾木１１０は、曲げる必要も無く仮囲いパネル１００の下から溝１０５に挿入されている。止め具３００は、いろいろな形態が可能であり、例えば、裾巾木１１０を押さえるための板バネ、裾巾木１１０を下に落ちないように支える先端折れ曲がり自在ピン、同様に支える回転Ｌ字ピン、回転Ｌ字ピンと裾巾木上の穴の挿抜構造などがあげられる。
【産業上の利用可能性】
【００１７】
以上のように本発明による仮囲いの裾巾木付設構造では、裾巾木が仮囲いパネルの連結具とパネル表面板との間にある溝に嵌って保持されるので、ねじ止めは必要が無く、一体に収容されることも可能であるので小型で、保管・運搬も容易となるため産業上の利用性が極めて大きい。
【符号の説明】
【００１８】
１００  仮囲いパネル
１０１  パネル表面板
１０２  連結具
１０３  空間
１０４  固定具
１０５  溝
１１０  裾巾木
１１０Ａ  上方裾巾木
１１０Ｂ  下方裾巾木
３００  止め具
４０１  枠組み構造
４０２  仮囲い板
４０３  板
【図１】
2013119764.tif 000003
【図２】
2013119764.tif 000004
【図３】
2013119764.tif 000005
【図４】
2013119764.tif 000006